(57)【要約】【課題】  床上を牽引して走行させるタイプの収納カバンにおいて、収納物品として壊れ易い物品を収納した場合であっても、安全に搬送できるようにする。【解決手段】  牽引走行可能な収納カバン１は、各種物品を収納して持ち運びできるように収納する収納部を有するカバン本体２，３と、このカバン本体２，３の一部に設けられ牽引走行時に床上に当接する牽引走行手段１０とを備えている。牽引走行手段は、カバン本体を牽引走行させる際に床上に当接して回転する空気式タイヤ１１と、この空気式タイヤを弾性支持する懸架手段２０を備えている。この懸架手段２０はサスペンション２１を有し、空気式タイヤはこの懸架手段を介してカバン本体の一部に支架されている。【選択図】        図１
2006116264.tif 000002
【特許請求の範囲】
【請求項１】
各種物品を収納して持ち運びできるとともに、床上を牽引して走行させることができる手段を備えた牽引走行可能な収納カバンであって、
各種物品の収納部を有するカバン本体と、
このカバン本体の一部に設けられ牽引走行時に床上に当接する牽引走行手段とを備え、
前記牽引走行手段は、カバン本体を牽引走行させる際に床上に当接して回転する空気式タイヤと、
この空気式タイヤを弾性支持する弾性支持手段を有する懸架手段からなり、
前記空気式タイヤは、この懸架手段を介して前記カバン本体の一部に支架されていることを特徴とする牽引走行可能な収納カバン。
【請求項２】
請求項１記載の牽引走行可能な収納カバンにおいて、
前記懸架手段は、空気式タイヤを弾性支持する弾性支持手段としてサスペンションを備えていることを特徴とする牽引走行可能な収納カバン。
【請求項３】
請求項２記載の牽引走行可能な収納カバンにおいて、
前記弾性支持手段としてのサスペンションの代わりに、防振ゴムを用いたことを特徴とする牽引走行可能な収納カバン。
【請求項４】
請求項１、請求項２または請求項３記載の牽引走行可能な収納カバンにおいて、
前記懸架手段を介して前記空気式タイヤに制動力を与える制動手段を備えていることを特徴とする牽引走行可能な収納カバン。
【請求項５】
請求項１ないし請求項４のいずれか１項に記載の牽引走行可能な収納カバンにおいて、
前記空気式タイヤを前記懸架手段を介して転舵させる手段を備えていることを特徴とする牽引走行可能な収納カバン。
【請求項６】
請求項１ないし請求項５のいずれか１項に記載の牽引走行可能な収納カバンにおいて、
前記空気式タイヤは、懸架手段と共に、収納カバン内部に取り込み可能に構成されていることを特徴とする牽引走行可能な収納カバン。
【発明の詳細な説明】
【技術分野】
【０００１】  本発明は、各種物品を収納して持ち運びできるとともに、床上を牽引して走行させることができる手段を備えた牽引走行可能な収納カバンに関する。
【背景技術】
【０００２】  従来から、各種物品を収納して持ち運びできるとともに、床上を牽引して走行させることができる手段を備えた牽引走行可能な収納カバンが種々提案されている。
すなわち、この種の収納カバンは、各種収納物品を収納する収納部を有するカバン本体を備え、その一部に複数のキャスタを設けることにより、床上等を牽引して走行させることができるようになっている（例えば、特許文献１参照）。【０００３】
【特許文献１】          実開平７−３９５４０号公報
【発明の開示】
【発明が解決しようとする課題】
【０００４】  しかし、上述したような従来から知られている収納カバンでは、牽引して走行させる際に床上に当接する足回り部分が、いわゆるキャスタと呼ばれる車輪であるために、走行には問題はないものの、振動や騒音等といった問題を生じることを避けられない。【０００５】  特に、振動問題は、収納カバン内に収納する収納物品に悪影響を与える虞れがあることから、壊れやすいもの等の搬送にあたっては注意を必要とする。このため、この種の牽引走行可能な収納カバンには、過般型のパーソナルコンピュータなどを収納することは難しく、使用者は、別の吊り下げ式などのカバンに収納して持ち運ぶことが多い。【０００６】  本発明はこのような事情に鑑みてなされたものであり、床上を牽引して走行させるタイプの収納カバンにおいて、収納物品として壊れ易い物品を収納した場合であっても、安全に搬送できるようにする牽引走行可能な収納カバンを得ることを目的とする。
【課題を解決するための手段】
【０００７】  このような目的に応えるために本発明（請求項１記載の発明）に係る牽引走行可能な収納カバンは、各種物品を収納して持ち運びできるとともに、床上を牽引して走行させることができる手段を備えた牽引走行可能な収納カバンであって、各種物品の収納部を有するカバン本体と、このカバン本体の一部に設けられ牽引走行時に床上に当接する牽引走行手段とを備え、前記牽引走行手段は、カバン本体を牽引走行させる際に床上に当接して回転する空気式タイヤと、この空気式タイヤを弾性支持する弾性支持手段を有する懸架手段からなり、前記空気式タイヤは、この懸架手段を介して前記カバン本体の一部に支架されていることを特徴とする。【０００８】  本発明（請求項２記載の発明）に係る牽引走行可能な収納カバンは、請求項１記載の牽引走行可能な収納カバンにおいて、前記懸架手段は、空気式タイヤを弾性支持する弾性支持手段としてサスペンションを備えていることを特徴とする。【０００９】  本発明（請求項３記載の発明）に係る牽引走行可能な収納カバンは、請求項２記載の牽引走行可能な収納カバンにおいて、前記弾性支持手段としてのサスペンションの代わりに、防振ゴムを用いたことを特徴とする。【００１０】  本発明（請求項４記載の発明）に係る牽引走行可能な収納カバンは、請求項１、請求項２または請求項３記載の牽引走行可能な収納カバンにおいて、前記懸架手段を介して前記空気式タイヤに制動力を与える制動手段を備えていることを特徴とする。【００１１】  本発明（請求項５記載の発明）に係る牽引走行可能な収納カバンは、請求項１ないし請求項４のいずれか１項に記載の牽引走行可能な収納カバンにおいて、前記空気式タイヤを前記懸架手段を介して転舵させる手段を備えていることを特徴とする。【００１２】  本発明（請求項６記載の発明）に係る牽引走行可能な収納カバンは、請求項１ないし請求項５のいずれか１項に記載の牽引走行可能な収納カバンにおいて、前記空気式タイヤは、懸架手段と共に、収納カバン内部に取り込み可能に構成されていることを特徴とする。
【発明の効果】
【００１３】  以上説明したように本発明に係る牽引走行可能な収納カバンによれば、空気式タイヤと懸架手段のサスペンションや防振ゴム等といった弾性支持手段によってカバン本体を弾性支持することができるから、収納物品として壊れ易い物品を収納した場合であっても、床上を牽引して安全に搬送させることができる。また、空気式タイヤであることから、走行時における騒音も小さく、牽引時の不具合がなくなる。【００１４】  また、本発明によれば、カバン本体に空気式タイヤに制動を与える制動手段や転舵させるための転舵手段、さらに収納カバン内に空気式タイヤを取り込み可能な手段を設けることにより、上述した利点をより一層発揮させることができる。
【発明を実施するための最良の形態】
【００１５】  図１および図２は本発明に係る牽引走行可能な収納カバンの一実施の形態を示す。
これらの図において、符号１で示す牽引走行可能な収納カバンは、図２に示すように、下蓋２と上蓋３とからなるカバン本体を備え、その内部に各種物品を収納する収納部が形成されている。４は、カバン本体２，３に設けられた取っ手である。【００１６】  さて、本発明によれば、上述したような構成による牽引走行可能な収納カバン１において、カバン本体２，３の一部（牽引走行時に下面部となる部分）に設けられ牽引走行時に図示しない床上に当接する牽引走行手段１０を備えている。この牽引走行手段１０は、図１に示すように、カバン本体２，３を牽引走行させる際に床上に当接して回転する空気式タイヤ１１と、この空気式タイヤ１１を弾性支持する弾性支持手段としてのサスペンション２１を有する懸架手段２０からなり、これにより空気式タイヤ１１は、この懸架手段２０を介してカバン本体２，３の一部に支架されている。【００１７】  ここで、図１中、符号２２はショックアブソーバを構成するピストン、２３はコイルばねである。さらに、２４はナックルアーム、２６は懸架手段２０をカバン本体側に連結するリンク系である。なお、これらの懸架手段２０の詳細な説明は、ここでは省略するが、要は、空気式タイヤ１１を弾性支持した状態でカバン本体２，３に支架することができる構成であればよい。特に、この種の空気式タイヤ１１と懸架手段２０としては、従来から自動車に使用されているサスペンション空気式タイヤ、高性能ベアリング等の部品を小型化し、収納カバン１に組み込むように構成すればよい。【００１８】  以上の構成によれば、懸架手段２０のサスペンション２１と空気式タイヤ１１とによって、カバン本体２，３を弾性的に支持することができるから、収納物品として壊れやすいものを搬送する場合であっても、安定した搬送が可能であり、その実用上での効果は大きい。【００１９】  なお、上述した実施の形態では、図２に示すように、収納カバン１の床面側の四箇所に空気式タイヤ１１とその懸架手段２０を設けた場合を例示したが、これに限定されない。たとえば、図３に示すように、収納カバン１を伸縮式の取っ手６で引っ張るタイプにも適用できるものであり、その場合には、２箇所に空気式タイヤ１１やその懸架手段２０からなる牽引走行手段１０を設けるようにすればよい。【００２０】  ここで、この実施の形態では、懸架手段２０における弾性支持手段としてサスペンション２１を用いた場合を説明したが、これに限定されず、防振ゴム等を用いてもよい。このような構成でも、振動等がそれほど大きくないところで使用される場合は充分である。【００２１】  さらに、この種の収納カバン１では、上述したカバン本体２，３の懸架手段２０を収納した部分に、該懸架手段２０を介して空気式タイヤ１１に制動力を与える制動手段、空気式タイヤ１１を懸架手段２０を介して転舵させる手段等を設けるようにしてもよい。そして、このような制動手段や転舵手段の操作部を、使用者が操作しやすい位置に設けるとよい。具体的には、たとえば懸架手段２０の収納部分に、制動手段や転舵手段を構成する電気的な機構部を設け、その操作スイッチ等を使用者の操作しやすい位置に設け、コード等を配線したり、無線で操作可能に構成する等の手法が考えられる。【００２２】  また、上述した牽引走行可能な収納カバン１では、空気式タイヤ１１を、懸架手段２０と共に、収納カバン１内部に取り込み可能に構成してもよい。このようにすれば、該カバン１を持ち運ぶ際に邪魔とならず、便利である。【００２３】  なお、本発明は上述した実施の形態で説明した構造には限定されず、収納カバン１を構成する各部の形状、構造等を適宜変形、変更し得ることはいうまでもない。
また、本発明は、このような収納カバン１に限らず、たとえば買い物用カートや台車などに適用してもよい。たとえば牽引走行可能な収納カバン１としては、図４に示すような簡易型のキャリーバックタイプのものであってもよい。ここで、図中８はこのキャリーバックのカバン本体である。【００２４】  さらに、本発明は、牽引走行可能な収納カバン１を前提として説明したが、この種の構造は、たとえば図５に示すような電気掃除機４０に適用してもよい。すなわち、このような構造を採用すると、牽引走行時における騒音を小さくすることができる。
【図面の簡単な説明】
【００２５】
【図１】  本発明に係る牽引走行可能な収納カバンの一実施の形態を示し、懸架手段とこれに支持させた空気式タイヤの組付け状態を示す概略斜視図である。
【図２】  図１の空気式タイヤを組み込んだ牽引走行可能な収納カバンの一例を示す概略斜視図である。
【図３】  本発明に係る牽引走行可能な収納カバンの別の例を示す概略側面図である。
【図４】  本発明に係る牽引走行可能な収納カバンの他の実施の形態を示す概略側面図である。
【図５】  本発明の応用技術を説明するための概略図である。
【符号の説明】
【００２６】  １…牽引走行可能な収納カバン、２，３…カバン本体、４…取っ手、８…カバン本体、１０…牽引走行手段、１１…空気式タイヤ、２０…懸架手段、２１…サスペンション（弾性支持手段）。
【図１】
2006116264.tif 000003
【図２】
2006116264.tif 000004
【図３】
2006116264.tif 000005
【図４】
2006116264.tif 000006
【図５】
2006116264.tif 000007